(57)【要約】  通信端末及びプレゼンスサーバが協働して状態通知を提供可能なプレゼンスシステム。通信端末は、当該通信端末への状態通知の送信を保留させる格納メッセージをサーバに提供可能である。プレゼンスサーバは、状態通知の格納を要求する格納メッセージに応えて、サーバから当該通信端末への状態通知の送信が保留されるように、構成される。保留を解放するいくつかのアプローチが提供される。プレゼンスシステム、通信端末、及び／又は通信プレゼンスサーバは、各機能及び動作を提供する、ハードウェア、及び／又は、コンピュータコード又はソフトウェアを含み得る。
2010521835.tif 000002
【特許請求の範囲】
【請求項１】
プレゼンスシステムであって、
複数の当事者のものである複数の通信端末と、
前記複数の通信端末がネットワークを介して接続可能なプレゼンスサーバと、
を備え、
前記複数の通信端末及び前記サーバは、当事者のアクセシビリティを管理する前記プレゼンスシステムを実装するハードウェア及びソフトウェアを備え、
少なくとも１つの通信端末は、前記サーバから当該通信端末への状態通知の送信が保留されるように、状態通知の格納を要求するＳＴＯＲＥメッセージを前記サーバへ送信するように構成される、
ことを特徴とするプレゼンスシステム。
【請求項２】
前記ＳＴＯＲＥメッセージは時間依存の条件を含む、ことを特徴とする請求項１に記載のプレゼンスシステム。
【請求項３】
前記ＳＴＯＲＥメッセージは監視対象当事者のアドレスに依存する条件を含む、ことを特徴とする請求項１に記載のプレゼンスシステム。
【請求項４】
前記ＳＴＯＲＥメッセージは監視対象当事者の通信端末における行動に依存する条件を含む、ことを特徴とする請求項１に記載のプレゼンスシステム。
【請求項５】
前記少なくとも１つの通信端末は、前記サーバから当該通信端末への状態通知の解放を要求するＲＥＬＥＡＳＥメッセージを前記サーバへ送信するように構成される、ことを特徴とする請求項１に記載のプレゼンスシステム。
【請求項６】
前記ＲＥＬＥＡＳＥメッセージは時間依存の条件を含む、ことを特徴とする請求項５に記載のプレゼンスシステム。
【請求項７】
前記ＲＥＬＥＡＳＥメッセージは監視対象当事者のアドレスに依存する条件を含む、ことを特徴とする請求項５に記載のプレゼンスシステム。
【請求項８】
前記ＲＥＬＥＡＳＥメッセージは監視対象当事者の通信端末における行動に依存する条件を含む、ことを特徴とする請求項５に記載のプレゼンスシステム。
【請求項９】
前記少なくとも１つの通信端末は、当該端末がスリーピングモードからアクティブモードへと状態を変化させた時に、ＲＥＬＥＡＳＥメッセージを自動的に送信するように構成される、ことを特徴とする請求項５に記載のプレゼンスシステム。
【請求項１０】
前記少なくとも１つの通信端末は、当該通信端末がコンタクトリスト、又はプレゼンス状態の表示を含むその他のアプリケーションに入った時に、ＲＥＬＥＡＳＥメッセージを自動的に送信するように構成される、ことを特徴とする請求項５に記載のプレゼンスシステム。
【請求項１１】
請求項１に記載され、且つ上の明細書で説明された、プレゼンスシステム。
【請求項１２】
当事者のものであり、且つネットワークを介してプレゼンスサーバに接続可能な、通信端末であって、
複数の当事者のアクセシビリティを管理するプレゼンスシステムを実装するハードウェア及びソフトウェアを備え、
前記通信端末は、前記サーバから当該通信端末への状態通知の送信が保留されるように、状態通知の格納を要求するＳＴＯＲＥメッセージを前記サーバへ送信するように構成される、
ことを特徴とする通信端末。
【請求項１３】
請求項１２に記載され、且つ上の明細書で説明された、通信端末。
【請求項１４】
複数の当事者のものである複数の通信端末にネットワークを介して接続可能なプレゼンスサーバであって、
当事者のアクセシビリティを管理するプレゼンスシステムを実装するハードウェア及びソフトウェアを備え、
前記サーバは、前記サーバから通信端末への状態通知の送信が保留されるように、状態通知の格納を要求するＳＴＯＲＥメッセージを受信するように構成される、
ことを特徴とするプレゼンスサーバ。
【請求項１５】
請求項１４に記載され、且つ上の明細書で説明された、プレゼンスサーバ。
【請求項１６】
複数の当事者のものである複数の通信端末と、前記複数の通信端末がネットワークを介して接続可能なプレゼンスサーバと、を含むシステムにおいてプレゼンスシステムを提供するコンピュータプログラム製品であって、
請求項１に記載のプレゼンスシステムを提供するコンピュータプログラムコード手段を備える、
ことを特徴とするコンピュータプログラム製品。
【請求項１７】
通信端末においてプレゼンスシステムを提供するコンピュータプログラム製品であって、
請求項１３に記載の通信端末を提供するコンピュータプログラムコード手段を備える、
ことを特徴とするコンピュータプログラム製品。
【請求項１８】
サーバにおいてプレゼンスシステムを提供するコンピュータプログラム製品であって、
請求項１５に記載のサーバを提供するコンピュータプログラムコード手段を備える、
ことを特徴とするコンピュータプログラム製品。
【発明の詳細な説明】
【技術分野】
【０００１】
（関連出願の相互参照）
本出願は、２００７年２月２８日出願の米国仮特許出願第６０／８９１，９５８号の利益を主張し、これは参照によりその全体が本明細書に組み込まれる。
【０００２】
（本発明の分野）
本発明は、状態通知を制御可能なプレゼンスシステムに関する。本発明はまた、通信端末、サーバ、及びそのためのコンピュータプログラム製品に関する。
【背景技術】
【０００３】
通信及びインターネットの世界をもたらす試みにおいて（固定及び移動、音声及びデータ、個人及び企業共々）、標準化されたＩＰマルチメディア・サブシステム（ＩＭＳ）のアーキテクチャが創造されてきた。とりわけ、ＩＭＳは、プレゼンスシステムを可能にする。プレゼンスシステムは、ユーザ又は当事者に各自のアクセシビリティ（即ち、各自の「プレゼンス」）を管理させるシステムであり、これにより彼らは、どのように、どこで、いつ、誰によって到達され得るかを制御することが可能である。プレゼンスシステムに加入している当事者は、他の当事者の状態が（例えばオンラインからオフラインに）変化した場合に他者から状態通知を受信する。
【０００４】
プレゼンス状態を拡散するための現在の技術は、或る当事者のプレゼンス状態が変化した場合にその変化がその当事者からプレゼンス状態の購読者へと送信されるという原理に基づいている。しかしながら、このことは幾つかの問題を引き起こす。
【０００５】
まず第１に、プレゼンス状態通知が端末において受信されようとする際に、端末の無線部がスリープモードから起こされて、かなりの時間、起きたままになる。このことは端末のバッテリーを消耗する。ユーザが自分の住所録（コンタクト）のプレゼンス状態に関心がある場合（即ち、ユーザがディスプレイを見ている時（即ち、ディスプレイが既にアクティブモードである時））は、このことは問題ではないかもしれないが、端末が全体的にスリープモードである場合（例えば、ユーザのポケット又はバッグの中に入っている場合）、このことは本当に問題である。単一のプレゼンス通知において送信されるデータ量は極めて小さい（例えば、数百バイト）である一方で、無線がアクティブモードである最中に伝送可能なデータ量は極めて大きい（例えば、数千バイト）ということに気付くべきであろう。
【０００６】
不必要なプレゼンス通知に伴う別の問題は、端末のネットワーク接続の帯域が削減されることである。
【０００７】
本発明では、状態通知をいつ受信するかを少なくともプレゼンスシステムサーバにおける状態メッセージの一時記憶装置に要求することにより当事者に制御させることにより、望まれない起動、及び不必要な電流消費を、回避可能である。この要求は、時刻、第２の当事者、及び他の情報を条件として実行され得る。この要求は、自動的に送信されてもよいし、ユーザが制御可能であってもよいし、その両方であってもよい。
【発明の概要】
【課題を解決するための手段】
【０００８】
本発明の一態様は、プレゼンスシステムであって、複数の当事者のものである複数の通信端末と、前記複数の通信端末がネットワークを介して接続可能なプレゼンスサーバと、を備え、前記複数の通信端末及び前記サーバは、当事者のアクセシビリティを管理する前記プレゼンスシステムを実装するハードウェア及びソフトウェアを備え、少なくとも１つの通信端末は、前記サーバから当該通信端末への状態通知の送信が保留されるように、状態通知の格納を要求するＳＴＯＲＥメッセージを前記サーバへ送信するように構成される、プレゼンスシステムに関する。
【０００９】
別の態様は、前記ＳＴＯＲＥメッセージは時間依存の条件を含む、プレゼンスシステムに関する。
【００１０】
別の態様は、前記ＳＴＯＲＥメッセージは監視対象当事者のアドレスに依存する条件を含む、プレゼンスシステムに関する。
【００１１】
別の態様は、前記ＳＴＯＲＥメッセージは監視対象当事者の通信端末における行動に依存する条件を含む、プレゼンスシステムに関する。
【００１２】
別の態様は、前記少なくとも１つの通信端末は、前記サーバから当該通信端末への状態通知の解放を要求するＲＥＬＥＡＳＥメッセージを前記サーバへ送信するように構成される、プレゼンスシステムに関する。
【００１３】
別の態様は、前記ＲＥＬＥＡＳＥメッセージは時間依存の条件を含む、プレゼンスシステムに関する。
【００１４】
別の態様は、前記ＲＥＬＥＡＳＥメッセージは監視対象当事者のアドレスに依存する条件を含む、プレゼンスシステムに関する。
【００１５】
別の態様は、前記ＲＥＬＥＡＳＥメッセージは監視対象当事者の通信端末における行動に依存する条件を含む、プレゼンスシステムに関する。
【００１６】
別の態様は、前記少なくとも１つの通信端末は、当該端末がスリーピングモードからアクティブモードへと状態を変化させた時に、ＲＥＬＥＡＳＥメッセージを自動的に送信するように構成される、プレゼンスシステムに関する。
【００１７】
別の態様は、前記少なくとも１つの通信端末は、当該通信端末がコンタクトリスト、又はプレゼンス状態の表示を含むその他のアプリケーションに入った時に、ＲＥＬＥＡＳＥメッセージを自動的に送信するように構成される、プレゼンスシステムに関する。
【００１８】
別の態様は、本明細書において説明される、プレゼンスシステムに関する。
【００１９】
別の態様は、当事者のものであり、且つネットワークを介してプレゼンスサーバに接続可能な、通信端末であって、複数の当事者のアクセシビリティを管理するプレゼンスシステムを実装するハードウェア及びソフトウェアを備え、前記通信端末は、前記サーバから当該通信端末への状態通知の送信が保留されるように、状態通知の格納を要求するＳＴＯＲＥメッセージを前記サーバへ送信するように構成される、通信端末に関する。
【００２０】
別の態様は、本明細書において説明される、通信端末に関する。
【００２１】
別の態様は、複数の当事者のものである複数の通信端末にネットワークを介して接続可能なプレゼンスサーバであって、当事者のアクセシビリティを管理するプレゼンスシステムを実装するハードウェア及びソフトウェアを備え、前記サーバは、前記サーバから通信端末への状態通知の送信が保留されるように、状態通知の格納を要求するＳＴＯＲＥメッセージを受信するように構成される、プレゼンスサーバに関する。
【００２２】
別の態様は、本明細書において説明される、プレゼンスサーバに関する。
【００２３】
別の態様は、複数の当事者のものである複数の通信端末と、前記複数の通信端末がネットワークを介して接続可能なプレゼンスサーバと、を含むシステムにおいてプレゼンスシステムを提供するコンピュータプログラム製品であって、本明細書において説明されるプレゼンスシステムを提供するコンピュータプログラムコード手段を備える、コンピュータプログラム製品に関する。
【００２４】
別の態様は、通信端末においてプレゼンスシステムを提供するコンピュータプログラム製品であって、本明細書において説明される通信端末を提供するコンピュータプログラムコード手段を備える、コンピュータプログラム製品に関する。
【００２５】
別の態様は、サーバにおいてプレゼンスシステムを提供するコンピュータプログラム製品であって、本明細書において説明されるサーバを提供するコンピュータプログラムコード手段を備える、コンピュータプログラム製品に関する。
【００２６】
本発明の、これらの及び更なる、態様及び特徴は、以下の詳細な説明及び添付の図面を参照すれば明らかになるであろう。詳細な説明及び図面においては、本発明の特定の実施形態が、本発明の原理を採用可能なやり方のいくつかを示すものとして詳細に開示されているが、本発明はそれに対応して範囲が限定される訳ではないということが理解される。むしろ本発明は、添付の請求の範囲の精神及び文言の中にある、全ての変更物、修正物、及び均等物を含む。
【００２７】
１つの実施形態に関して説明及び／又は(and/or)図解されている特徴は、１以上の他の実施形態において同一のやり方又は同様のやり方で使用可能であり、及び／又は、他の実施形態の特徴と組み合わせて又はこれに代えて使用可能である。
【００２８】
本明細書において使用される場合、「含む／含んでいる(comprise/comprising)」という用語は、言及された特徴、整数、ステップ、又はコンポーネントの存在を示すものとして取られるが、１以上の他の特徴、整数、ステップ、コンポーネント、又はその集合の存在又は追加を排除するものではないということが強調される。
【００２９】
「電子装置」という用語は、可搬無線通信装置を含む。「可搬無線通信装置」という用語は、以下では、「移動無線端末」、「移動電話」、「移動デバイス」、又は「移動端末」などとも呼ばれる場合があり、例えば移動電話、ページャ、コミュニケータ（即ち、電子手帳）、携帯情報端末（ＰＤＡ）、スマートフォン、可搬通信装置などの、全ての装置を含む。「電子装置」という用語はまた、可搬デジタル音楽デバイス（例えば、ｉＰｏｄデバイス、ｍｐ３プレーヤなど）も含み得る。可搬無線通信デバイスもまた、可搬デジタル音楽デバイスであってもよい。
【図面の簡単な説明】
【００３０】
【図１】図面においては、唯一の図である図１は、本発明を使用するシステムの概略図である。
【発明を実施するための形態】
【００３１】
本発明は、上述した課題に対処するソリューションのセットを提案する。
【００３２】
いくつかの非限定的な例を用いて本発明を説明する。第１に我々は、無線がアクティブモードである時にセッションごとのプレゼンス通知の数を増加させるやり方を提示する。このことは、プレゼンス通知ごとに必要とされるバッテリーエネルギーの量を減少させるであろう。
【００３３】
その次に我々は、ユーザビリティを向上させるためにプレゼンス通知を受信すべき時を提案する。
【００３４】
本発明は、本発明に従って機能が強化された、従来のハードウェア及びソフトウェア技術を使用して実装可能である。本発明に従うプレゼンスシステムの実施形態は、多数の当事者Ａ，Ｂ等を含み、各自がネットワーク（典型的には、通信ネットワーク）を介して接続される通信端末を持つ。端末は、状態情報を持つ（例えばメモリ（Ｍ）内の、又はどこかよそに格納され又はそこから提供される）データベース（Ｄ）を管理し、そして各当事者に対して状態通知／メッセージを受信及び送信する、プレゼンシステムサーバＳとのコンタクトを確立することができる。サーバＳには、例えば手作業又はその他の（キーボード、ネットワーク接続、マウス、メモリなどからの）入力を与えるために、及び／又は、サーバの状態、サーバの動作を示す出力を与えるために、及び／又は、その他の出力、動作及び／又は制御などの機能を与えるために、入出力デバイス（Ｉ／Ｏ）が備えられてもよい。
【００３５】
例えばＩＭＳを使用する今日のプレゼンスの購読及び通知は、以下のやり方で行われる。
１．当事者Ａが当事者Ｂのアクセシビリティを監視することを望む場合、当事者ＡはサーバＳを介して当事者Ｂへ購読要求を送信する。
２．当事者ＢはサーバＳを介して購読肯定応答を当事者Ａへ送信する。
３．当事者ＢはサーバＳへプレゼンス状態を発行する。
４．サーバＳは、当事者Ｂのプレゼンス状態を含むプレゼンス通知を当事者Ａへ送信する。
５．状態が変化した場合、当事者Ｂはプレゼンス状態を変更する（例えば、オンラインからオフラインに）。
６．当事者Ｂは再びプレゼンス状態をサーバＳへ発行する。
７．サーバＳは再び、当事者Ｂのプレゼンス状態を含むプレゼンス通知又は状態通知を当事者Ａへ送信する。
【００３６】
こうして、当事者Ｂがプレゼンス状態を変更する度に、状態通知が当事者Ａへ送信され、上で概説した課題を結果としてもたらす。
【００３７】
本発明は、代わりに以下のやり方を提案する。
１．当事者ＡはサーバＳを介して当事者Ｂへ条件付購読要求を送信する。
２．当事者ＢはサーバＳを介して購読肯定応答を当事者Ａへ送信する。
３．サーバＳは当事者Ｂからの通知の受信者として当事者Ａを登録する。
４．当事者ＢはサーバＳへプレゼンス状態を発行する。
５．条件付購読要求に従って、サーバＳはプレゼンス状態を格納するが、それを当事者Ａへ渡すことはしない。
６．当事者Ｂはプレゼンス状態を変更する（例えば、オンラインからオフラインに）。
７．当事者Ｂは再びプレゼンス状態をサーバＳへ発行する。
８．サーバＳはプレゼンス状態を更新して格納するが、それを当事者Ａへ渡すことはしない。古い状態は削除される。
９．当事者Ａは通知解放指示をサーバＳへ送信する。
１０．サーバＳは、当事者Ｂからの格納されているプレゼンス状態を含む通知を当事者Ａへ送信する。
【００３８】
なお、どちらの手順においても、当事者Ｂの行動は同一である。このことは、当事者Ｂは、通知を削減することについて当事者Ａを支援する必要が無いということを意味する。
【００３９】
ＩＭＳでは、プレゼンス通知は、上述した第１の手順に従ってセッション開始プロトコル（ＳＩＰ）メッセージのＳＵＢＳＣＲＩＢＥ、ＰＵＢＬＩＳＨ、及びＮＯＴＩＦＹを使用する、ＯＭＡ  ＰＡＧ  ＳＩＭＰＬＥによって規定される。（「ＯＭＡ」は"Open Mobile Alliance"の頭字語であり、「ＰＡＧ」は"Presence and Availability working Group"の頭字語であり、「ＳＩＭＰＬＥ」は"SIP for Instant Messaging and Presence Leveraging Extensions"の頭字語である。）
【００４０】
本発明では、本発明の所望される機能を可能にする追加マーカーを用いてプロトコルが拡張される。ＳＩＰメッセージは汎用マーカーを収容可能である。本発明の一実施形態では、上述した本発明に従う機能は、ＳＩＰメッセージを使用する以下のスキームに従って実装される。
１．当事者ＡはサーバＳを介して当事者ＢへＳＵＢＳＣＲＩＢＥを送信する。プレゼンスアプリケーションは、ＯＭＡ  ＰＡＧに従ってヘッダ内で規定される。本発明の一実施形態によれば、ヘッダ（又はボディ）内の追加マーカー「ＳＴＯＲＥ」は、サーバＳに対して、当事者Ｂからの通知は更なる通報があるまでは格納されていなければならない、ということを指示する。サーバＳは、このメッセージを当事者Ｂへ送信する前に、「ＳＴＯＲＥ」マーカーを除去する。
２．当事者ＢはサーバＳを介して購読肯定応答を当事者Ａへ送信する（ＳＩＰメッセージの２００  ＯＫを使用して）。
３．サーバＳは当事者Ｂからの通知の受信者として当事者Ａを登録する。
４．当事者ＢはサーバＳへプレゼンス状態を発行する（ＰＵＢＬＩＳＨを使用して）。
５．サーバＳはプレゼンス状態を格納する。
６．当事者Ｂはプレゼンス状態を変更する（例えば、オンラインからオフラインに）。
７．当事者Ｂは再びプレゼンス状態をサーバＳへ発行する（ＰＵＢＬＩＳＨを使用して）。
８．サーバＳはプレゼンス状態を格納する。古い状態は削除される。
９．当事者ＢはサーバＳを介して当事者Ｂへ新たなＳＵＢＳＣＲＩＢＥを送信する。このメッセージと、１において送信されたメッセージとの違いは、ヘッダ内の追加ＲＥＬＥＡＳＥマーカーである。「ＲＥＬＥＡＳＥ」は、サーバＳに対して、当事者Ｂからの通知が解放されるべきであるということを指示する。このメッセージは、サーバＳから当事者Ｂへ送信されない。
１０．サーバＳは、当事者Ｂからの格納されているプレゼンス状態を含む通知を当事者Ａへ送信する（ＮＯＴＩＦＹを使用して）。
【００４１】
ＳＴＯＲＥマーカーは更なる条件を含んでもよく、これにより購読者である当事者Ａは、様々な監視対象の当事者間を区別でき、時間及びその他のユーザ定義条件に依存することができる。
【００４２】
更なる条件を持たない通常のＳＴＯＲＥマーカーが結果としてもたらすことは、全ての状態情報がサーバに格納され、解放が要求されるまでは状態通知が購読当事者へ送信されないということである。
【００４３】
当事者Ｂのアドレス、又はアドレスの集合を更に含むＳＴＯＲＥマーカーが結果としてもたらすことは、解放が要求されるまでは当事者Ｂ又は集合に関係する状態情報がサーバに格納されるということである。他の当事者からの状態情報は、購読当事者Ａへ送信することが許可される。
【００４４】
ＳＩＰメッセージであるＳＵＢＳＣＲＩＢＥ自体が当事者Ｂのアドレスを含んでいるであろうから、ＳＴＯＲＥマーカー内でも当事者Ｂのアドレスを提示することは通常は必要無いが、ユーザによってそうではないと規定されたのでなければ、マーカーのデフォルトの値として想定可能である。
【００４５】
ＳＴＯＲＥマーカーは時間条件を更に含んでもよい。例えば、「３０分」という条件を更に含むＳＴＯＲＥマーカーが結果としてもたらすことは、全ての状態情報がサーバに格納され、３０分が経過するまでは状態通知が購読当事者へ送信されないということである。次いで、条件を持つＳＵＢＳＣＲＩＢＥメッセージを当事者Ａが送信する前から存在する設定が、復旧されることになる。時間条件はまた、特定の時刻（例えば、１１：００）として規定されてもよいし、時間間隔（例えば、１１：００−１２：００）として規定されてもよい。すると、それぞれの場合、時刻が１１：００以降になるまで又は１１：００−１２：００の間になるまで、状態情報が格納される。例えば、当事者Ａは、夜間は全ての状態通知が格納されるようにマーカーを設定することができる。
【００４６】
ＲＥＬＥＡＳＥマーカーは、同様の条件を含むことができる。
【００４７】
更なる条件を含まない通常のＲＥＬＥＡＳＥマーカーが結果としてもたらすことは、サーバ内の全ての状態情報が解放され、全ての状態通知が購読当事者へ送信されることである。
【００４８】
当事者Ｂのアドレス、又はアドレスの集合を更に含むＲＥＬＥＡＳＥマーカーが結果としてもたらすことは、当事者Ｂ又は集合に関係する状態情報がサーバ内で解放されるということである。他の当事者からの状態通知は、購読当事者Ａへ送信されずに、格納される。
【００４９】
ＲＥＬＥＡＳＥマーカーは時間条件を更に含んでもよい。例えば、「３０分」という条件を更に含むＲＥＬＥＡＳＥマーカーが結果としてもたらすことは、３０分が経過するまではサーバから購読当事者へ全ての状態情報が送信されることが許可されるということである。次いで、ＲＥＬＥＡＳＥ条件を持つＳＵＢＳＣＲＩＢＥメッセージを当事者Ａが送信する前から存在する設定が、復旧されることになる。時間条件はまた、特定の時刻（例えば、１１：００）として規定されてもよいし、時間間隔（例えば、１１：００−１２：００）として規定されてもよい。すると、それぞれの場合、時刻が１１：００以降になるまで又は１１：００−１２：００の間になるまで、状態情報が解放される。例えば、当事者Ａは、勤務時間中は全ての状態通知が解放されるようにマーカーを設定することができる。
【００５０】
ＳＴＯＲＥマーカー及び／又はＲＥＬＥＡＳＥマーカーは、例えば監視対象当事者Ｂの端末における行動に関するその他のユーザ定義条件を更に含むことができる。例えば、当事者Ａは、「アーティストＺＺを聴いている」という条件を含むＳＴＯＲＥ／ＲＥＬＥＡＳＥマーカーを持つＳＵＢＳＣＲＩＢＥメッセージを送信することができる。監視対象当事者Ｂの端末がミュージックプレーヤに入ってアーティストＺＺが演奏する歌を再生すると、アーティスト情報が例えば歌のメタデータから引き出され、当事者Ｂはアーティスト情報を含むプレゼンス状態をサーバＳへ送信する。サーバＳは、アーティスト情報を条件とマッチングさせ、当事者Ｂからのプレゼンス状態を含む通知を当事者Ａへ送信し、このようにして、他の何らかの条件を無効にする可能性がある。
【００５１】
一実施形態では、ＳＴＯＲＥマーカー及び／又はＲＥＬＥＡＳＥマーカーは、端末内のカレンダー機能に従って自動的に設定される。こうして、カレンダーにおいて１１：００−１２：００の間にミーティングが予定されている場合、端末は１１：００に、状態通知を１時間ブロックするＳＴＯＲＥマーカーを持つＳＵＢＳＣＲＩＢＥメッセージを送信する。カレンダー機能がミーティングの参加者に関する情報を含んでいる場合、ＳＴＯＲＥマーカーは、参加している当事者からの状態通知を許可する条件を含んでもよい。
【００５２】
上述した条件は、相互に組み合わせ可能である。
【００５３】
こうして、何人かの被購読当事者からの一まとめにされたプレゼンス常態を処理可能である。「ＳＴＯＲＥ」でマークされた全てのＳＵＢＳＣＲＩＢＥメッセージが結果としてもたらすことは、ＰＵＢＬＩＳＨメッセージからのデータが格納されることである。当事者Ａが次に当事者Ｂのアドレスを含み「ＲＥＬＥＡＳＥ」でマークされたＳＵＢＳＣＲＩＢＥメッセージを送信する時に、当事者Ｂの格納されたプレゼンス状態が、上述したように送信されるべきである。しかしながら、メッセージが「ＲＥＬＥＡＳＥ＿ＡＬＬ」でマークされている場合、全ての被購読当事者からの全ての格納されているプレゼンス状態が、いくつかのＮＯＴＩＦＹメッセージとして、又は、１つ又はいくつかのまとめられたメッセージとして、送信されるべきである。
【００５４】
上述した技術によれば、当事者Ａは、プレゼンス通知をいつ受信するかを決定することができる。
【００５５】
更なる実施形態では、本発明は、プレゼンス状態の通知を自動的に解放するための以下の論理的な状況を提案する。
１．端末が状態をスリーピングからアクティブに変更した時（例えば、ディスプレイのバックライトが照らされた時）。これは、ユーザが端末をアクティブに使用することを開始し、それゆえプレゼンス情報に関心がある時に発生する。これは、端末が電話の呼又はメッセージング（例えば、ＳＭＳ）を受信しており、それゆえスリーピングモードからアクティブモードへ移動する時にも、発生し得る。
２．ユーザが、コンタクトリスト、又はプレゼンス状態の表示を含むその他のアプリケーションに入った時。
３．１及び２の組み合わせ。
４．ユーザが或るコンタクト（そこからのプレゼンス状態は購読されている）にフォーカスを移動させた時。
【００５６】
これらの状況において、端末は、ヘッダ内にＲＥＬＥＡＳＥマーカーを持つ新たなＳＵＢＳＣＲＩＢＥをサーバＳへ自動的に送信する。状況は、１つ（当事者Ｂ）又は集合の、又は全ての通知のいずれが解放されるべきかを決定することができる。
【００５７】
本発明は、先行技術に照らしていくつかの利点を有する。本発明は、受信側の当事者に対して、プレゼンス通知が送信されるべき時を決定することを許可する。このことは、端末におけるエネルギー消費、並びに、ネットワークにおける帯域消費を、減少させる。バッテリー消費が減少することになるので、本発明を用いればプレゼンスシステムが一層有用になるであろう。
【００５８】
当業者によって理解されるであろうように、本発明のコンピュータプログラム要素及び／又は回路要素は、ハードウェア及び／又はソフトウェア（ファームウェア、常駐ソフトウェア、マイクロコードなどを含む）に実装可能である。本発明はコンピュータプログラム製品の形式を取ることができ、コンピュータプログラム製品は、コンピュータが使用可能な又はコンピュータが読み取り可能な記録媒体によって実現可能であり、記録媒体には、コンピュータが使用可能な又はコンピュータが読み取り可能なプログラム命令、「コード」、又は「コンピュータプログラム」が、命令実行システムによって又はこれと共に使用されるように収録される。本明細書の文脈において、コンピュータが使用可能な又はコンピュータが読み取り可能な媒体は、命令実行システム、装置、又はデバイスによって又はこれらと共に使用されるプログラムを含み、格納し、通信し、伝播し、伝送することができる、いかなる媒体であってもよい。
【００５９】
コンピュータが使用可能な又はコンピュータが読み取り可能な媒体は、例えば、限定する訳ではないが、電気的、磁気的、光学的、電磁気的、赤外線、又は半導体の、システム、装置、デバイス、又はインターネットなどの伝播媒体であってもよい。なお、コンピュータが使用可能な又はコンピュータが読み取り可能な媒体は、紙や、プログラムを印刷可能な他の適切な媒体であってさえもよい。なぜなら、プログラムは、例えば紙又は他の媒体の光学走査を介して電気的にキャプチャされ、そしてコンパイルされ、解釈又はそうでなくても適切なやり方で処理され得るからである。コンピュータプログラム製品、及び、ここで説明されるあらゆるソフトウェア及びハードウェアは、例としての実施形態における本発明の機能を実行するための多様な手段を形成する。
【００６０】
本発明は、ハードウェア及びソフトウェアの適切な組み合わせの手段によって実装可能である。本発明は、例えばＩＭＳ標準内のような、プレゼンスシステム及びメッセージに関するいかなる特定のフォーマットにも限定されない。将来、同じ技術的機能を提供する更なるフォーマットが開発されるかもしれない。本発明の範囲は、以下の請求の範囲によってのみ限定される。
【図１】
2010521835.tif 000003
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
プレゼンスシステムであって、
複数の当事者のものである複数の通信端末と、
前記複数の通信端末がネットワークを介して接続可能なプレゼンスサーバと、
を備え、
前記複数の通信端末及び前記サーバは、当事者のアクセシビリティを管理する前記プレゼンスシステムを実装するハードウェア及びソフトウェアを備え、
少なくとも１つの通信端末は、当該通信端末が状態通知を要求するメッセージを前記サーバへ送信するまで前記サーバから当該通信端末への当該状態通知の送信が保留されるように、状態通知の格納を要求するＳＴＯＲＥメッセージを前記サーバへ送信するように構成される、
ことを特徴とするプレゼンスシステム。
【請求項２】
前記ＳＴＯＲＥメッセージは時間依存の条件を含む、ことを特徴とする請求項１に記載のプレゼンスシステム。
【請求項３】
前記ＳＴＯＲＥメッセージは監視対象当事者のアドレスに依存する条件を含む、ことを特徴とする請求項１に記載のプレゼンスシステム。
【請求項４】
前記ＳＴＯＲＥメッセージは監視対象当事者の通信端末における行動に依存する条件を含む、ことを特徴とする請求項１に記載のプレゼンスシステム。
【請求項５】
前記少なくとも１つの通信端末は、前記サーバから当該通信端末への状態通知の解放を要求するＲＥＬＥＡＳＥメッセージを前記サーバへ送信するように構成される、ことを特徴とする請求項１に記載のプレゼンスシステム。
【請求項６】
前記ＲＥＬＥＡＳＥメッセージは時間依存の条件を含む、ことを特徴とする請求項５に記載のプレゼンスシステム。
【請求項７】
前記ＲＥＬＥＡＳＥメッセージは監視対象当事者のアドレスに依存する条件を含む、ことを特徴とする請求項５に記載のプレゼンスシステム。
【請求項８】
前記ＲＥＬＥＡＳＥメッセージは監視対象当事者の通信端末における行動に依存する条件を含む、ことを特徴とする請求項５に記載のプレゼンスシステム。
【請求項９】
前記少なくとも１つの通信端末は、当該端末がスリーピングモードからアクティブモードへと状態を変化させた時に、ＲＥＬＥＡＳＥメッセージを自動的に送信するように構成される、ことを特徴とする請求項５に記載のプレゼンスシステム。
【請求項１０】
前記少なくとも１つの通信端末は、当該通信端末がコンタクトリスト、又はプレゼンス状態の表示を含むその他のアプリケーションに入った時に、ＲＥＬＥＡＳＥメッセージを自動的に送信するように構成される、ことを特徴とする請求項５に記載のプレゼンスシステム。
【請求項１１】
請求項１に記載され、且つ上の明細書で説明された、プレゼンスシステム。
【請求項１２】
当事者のものであり、且つネットワークを介してプレゼンスサーバに接続可能な、通信端末であって、
複数の当事者のアクセシビリティを管理するプレゼンスシステムを実装するハードウェア及びソフトウェアを備え、
前記通信端末は、当該通信端末が状態通知を要求するメッセージを前記サーバへ送信するまで前記サーバから当該通信端末への当該状態通知の送信が保留されるように、状態通知の格納を要求するＳＴＯＲＥメッセージを前記サーバへ送信するように構成される、
ことを特徴とする通信端末。
【請求項１３】
請求項１２に記載され、且つ上の明細書で説明された、通信端末。
【請求項１４】
複数の当事者のものである複数の通信端末にネットワークを介して接続可能なプレゼンスサーバであって、
当事者のアクセシビリティを管理するプレゼンスシステムを実装するハードウェア及びソフトウェアを備え、
前記サーバは、通信端末が状態通知を要求するメッセージを前記サーバへ送信するまで前記サーバから当該通信端末への当該状態通知の送信が保留されるように、状態通知の格納を要求するＳＴＯＲＥメッセージを受信するように構成される、
ことを特徴とするプレゼンスサーバ。
【請求項１５】
請求項１４に記載され、且つ上の明細書で説明された、プレゼンスサーバ。
【請求項１６】
複数の当事者のものである複数の通信端末と、前記複数の通信端末がネットワークを介して接続可能なプレゼンスサーバと、を含むシステムにおいてプレゼンスシステムを提供するコンピュータプログラム製品であって、
請求項１に記載のプレゼンスシステムを提供するコンピュータプログラムコード手段を備える、
ことを特徴とするコンピュータプログラム製品。
【請求項１７】
通信端末においてプレゼンスシステムを提供するコンピュータプログラム製品であって、
請求項１３に記載の通信端末を提供するコンピュータプログラムコード手段を備える、
ことを特徴とするコンピュータプログラム製品。
【請求項１８】
サーバにおいてプレゼンスシステムを提供するコンピュータプログラム製品であって、
請求項１５に記載のサーバを提供するコンピュータプログラムコード手段を備える、
ことを特徴とするコンピュータプログラム製品。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
プレゼンスシステムであって、
複数の当事者のものである複数の通信端末と、
前記複数の通信端末がネットワークを介して接続可能なプレゼンスサーバと、
を備え、
前記複数の通信端末及び前記サーバは、当事者のアクセシビリティを管理する前記プレゼンスシステムを実装するハードウェア及びソフトウェアを備え、
少なくとも１つの通信端末は、当該通信端末が状態通知を要求するメッセージを前記サーバへ送信するまで前記サーバから当該通信端末への当該状態通知の送信が保留されるように、状態通知の格納を要求するＳＴＯＲＥメッセージを前記サーバへ送信するように構成される、
ことを特徴とするプレゼンスシステム。
【請求項２】
前記ＳＴＯＲＥメッセージは時間依存の条件を含む、ことを特徴とする請求項１に記載のプレゼンスシステム。
【請求項３】
前記ＳＴＯＲＥメッセージは監視対象当事者のアドレスに依存する条件を含む、ことを特徴とする請求項１に記載のプレゼンスシステム。
【請求項４】
前記ＳＴＯＲＥメッセージは監視対象当事者の通信端末における行動に依存する条件を含む、ことを特徴とする請求項１に記載のプレゼンスシステム。
【請求項５】
前記少なくとも１つの通信端末は、前記サーバから当該通信端末への状態通知の解放を要求するＲＥＬＥＡＳＥメッセージを前記サーバへ送信するように構成される、ことを特徴とする請求項１に記載のプレゼンスシステム。
【請求項６】
前記ＲＥＬＥＡＳＥメッセージは時間依存の条件を含む、ことを特徴とする請求項５に記載のプレゼンスシステム。
【請求項７】
前記ＲＥＬＥＡＳＥメッセージは監視対象当事者のアドレスに依存する条件を含む、ことを特徴とする請求項５に記載のプレゼンスシステム。
【請求項８】
前記ＲＥＬＥＡＳＥメッセージは監視対象当事者の通信端末における行動に依存する条件を含む、ことを特徴とする請求項５に記載のプレゼンスシステム。
【請求項９】
前記少なくとも１つの通信端末は、当該端末がスリーピングモードからアクティブモードへと状態を変化させた時に、ＲＥＬＥＡＳＥメッセージを自動的に送信するように構成される、ことを特徴とする請求項５に記載のプレゼンスシステム。
【請求項１０】
前記少なくとも１つの通信端末は、当該通信端末がコンタクトリスト、又はプレゼンス状態の表示を含むその他のアプリケーションに入った時に、ＲＥＬＥＡＳＥメッセージを自動的に送信するように構成される、ことを特徴とする請求項５に記載のプレゼンスシステム。
【請求項１１】
当事者のものであり、且つネットワークを介してプレゼンスサーバに接続可能な、通信端末であって、
複数の当事者のアクセシビリティを管理するプレゼンスシステムを実装するハードウェア及びソフトウェアを備え、
前記通信端末は、当該通信端末が状態通知を要求するメッセージを前記サーバへ送信するまで前記サーバから当該通信端末への当該状態通知の送信が保留されるように、状態通知の格納を要求するＳＴＯＲＥメッセージを前記サーバへ送信するように構成される、
ことを特徴とする通信端末。
【請求項１２】
複数の当事者のものである複数の通信端末にネットワークを介して接続可能なプレゼンスサーバであって、
当事者のアクセシビリティを管理するプレゼンスシステムを実装するハードウェア及びソフトウェアを備え、
前記サーバは、通信端末が状態通知を要求するメッセージを前記サーバへ送信するまで前記サーバから当該通信端末への当該状態通知の送信が保留されるように、状態通知の格納を要求するＳＴＯＲＥメッセージを受信するように構成される、
ことを特徴とするプレゼンスサーバ。
【請求項１３】
複数の当事者のものである複数の通信端末と、前記複数の通信端末がネットワークを介して接続可能なプレゼンスサーバと、を含むシステムにおいてプレゼンスシステムを提供するコンピュータプログラムであって、
請求項１に記載のプレゼンスシステムを提供するコンピュータプログラムコード手段を備える、
ことを特徴とするコンピュータプログラム。
【請求項１４】
通信端末においてプレゼンスシステムを提供するコンピュータプログラムであって、
請求項１１に記載の通信端末を提供するコンピュータプログラムコード手段を備える、
ことを特徴とするコンピュータプログラム。
【請求項１５】
サーバにおいてプレゼンスシステムを提供するコンピュータプログラムであって、
請求項１２に記載のサーバを提供するコンピュータプログラムコード手段を備える、
ことを特徴とするコンピュータプログラム。
【国際調査報告】
2010521835.tif 000004
2010521835.tif 000005
2010521835.tif 000006